(57)【特許請求の範囲】
【請求項１】
無線通信装置に配置され、ＲＦ波を送信及び／又は受信するためのアンテナ装置であって、第一の表面と該第一の表面上に放射構造体（２０）を支持する第二の表面を有するキャリヤー（１０）と、無線通信装置のトランシーバー回路に接続可能であり、前記キャリヤー（１０）上に配置され、前記放射構造体（２０）の一部を形成する給電部分（２５）と、接地面手段とを備え、前記キャリヤーは、第一の表面に実質的に垂直な第一の面において、第一の表面が少なくとも第一の湾曲部分（１２）を示す断面を有し、前記キャリヤーは、第一の面に実質的に垂直で第一の表面に実質的に垂直な第二の面において、第一の表面が少なくとも第二の湾曲部分（１１、１３）を示す断面を有し、かつ少なくとも二つの湾曲部分が交わっている、アンテナ装置において、
前記キャリヤー（１０）は、ポリマーのシート状材料から作られており、
接地面手段用支持体（５０）は、前記キャリヤー（１０）と同じシート状材料から形成されており、
無線通信装置のトランシーバ回路の通信用アースに導電的に接続可能な導電構造体が、前記接地面手段用支持体上に配置されていることを特徴とするアンテナ装置。
【請求項２】
前記キャリヤー（１０）が、真空成形されたポリマーのシート状材料から作られていることを特徴とする請求項１に記載のアンテナ装置。
【請求項３】
無線通信装置に配置され、ＲＦ波を送信及び／又は受信するためのアンテナ装置であって、第一の表面と該第一の表面上に放射構造体（２０）を支持する第二の表面を有するキャリヤー（１０）と、無線通信装置のトランシーバー回路に接続可能であり、前記キャリヤー（１０）上に配置され、前記放射構造体（２０）の一部を形成する給電部分（２５）と、接地面手段とを備え、前記キャリヤーは、第一の表面に実質的に垂直な第一の面において、第一の表面が少なくとも第一の湾曲部分（１２）を示す断面を有し、前記キャリヤーは、第一の面に実質的に垂直で第一の表面に実質的に垂直な第二の面において、第一の表面が少なくとも第二の湾曲部分（１１、１３）を示す断面を有し、かつ少なくとも二つの湾曲部分が交わっている、アンテナ装置において、
前記キャリヤー（１０）は、ポリマーのシート状材料から作られており、
接地面手段用支持体（５０）は、前記キャリヤー（１０）と同じシート状材料から形成されており、
無線通信装置のトランシーバ回路の通信用アースに容量的に接続可能な導電構造体が、前記接地面手段用支持体上に配置されていることを特徴とするアンテナ装置。
【請求項４】
前記キャリヤー（１０）が、真空成形されたポリマーのシート状材料から作られていることを特徴とする請求項３に記載のアンテナ装置。
【請求項５】
前記接地面手段用支持体を前記キャリヤーに対して約１８０°曲げられるように曲げ用開始手段（５１）が、前記キャリヤー（１０）と前記接地面手段用支持体（５０）との間に設けられていることを特徴とする請求項１乃至４のいずれか１項に記載のアンテナ装置。
【請求項６】
無線通信装置に配置され、ＲＦ波を送信及び／又は受信するためのアンテナ装置であって、第一の表面と該第一の表面上に放射構造体（２０）を支持する第二の表面を有するキャリヤー（１０）と、無線通信装置のトランシーバー回路に接続可能であり、前記キャリヤー（１０）上に配置され、前記放射構造体（２０）の一部を形成する給電部分（２５）と、接地面手段とを備え、前記キャリヤーは、第一の表面に実質的に垂直な第一の面において、第一の表面が少なくとも第一の湾曲部分（１２）を示す断面を有し、前記キャリヤーは、第一の面に実質的に垂直で第一の表面に実質的に垂直な第二の面において、第一の表面が少なくとも第二の湾曲部分（１１、１３）を示す断面を有し、かつ少なくとも二つの湾曲部分が交わっている、アンテナ装置において、
前記接地面手段が、無線通信装置のプリント回路ボードと実質的に一致して形成された一つの表面を有しており、前記接地面手段が前記プリント回路ボードに接続して設けられるように配置されていることを特徴とするアンテナ装置。
【請求項７】
前記キャリヤー（１０）が、無線通信装置のハウジングの内部の部分（６１）と実質的に一致するように配置されていることを特徴とする請求項１乃至６のいずれか１項に記載のアンテナ装置。
【請求項８】
前記キャリヤー（１０）が、実質的にトラフ形状であることを特徴とする請求項１乃至７のいずれか１項に記載のアンテナ装置。
【請求項９】
前記放射構造（２０）体が、曲折パターン、ループ、パッチ、曲げ双極子及びフラクタルからなる群より選ばれる少なくとも一つの放射構造からなることを特徴とする請求項１乃至８のいずれか１項に記載のアンテナ装置。
【請求項１０】
前記放射構造体（２０）が、少なくとも一つの湾曲部分（１１−１４）に亘って延びていることを特徴とする請求項１乃至９のいずれか１項に記載のアンテナ装置。
【請求項１１】
前記湾曲部分（１１−１４）によって前記キャリヤー（１０）上に凸凹表面が形成されており、前記給電部分（２５）を有する前記キャリヤー（１０）上の隆起（１８）が、前記凹状表面（１５）から突出していることを特徴とする請求項１乃至１０のいずれか１項に記載のアンテナ装置。
【請求項１２】
整合手段（３１）が前記キャリヤー（１０）上に配置されており、前記給電部分と第一の端部で連結しており、第二の端部で無線通信装置のトランシーバー回路と接続可能であり、それにより前記放射構造体（２０）が、前記整合手段（３１）を介してトランシーバ回路と接続可能であることを特徴とする請求項１乃至１１のいずれか１項に記載のアンテナ装置。
【請求項１３】
前記キャリヤー（１０）の少なくとも一部が無線通信装置のハウジング内側の壁の部分と実質的に同じ形を有するダイ（４２）により形成されていることを特徴とする請求項１乃至１２のいずれか１項に記載のアンテナ装置を製造するための方法。
【請求項１４】
前記キャリヤー（１０）を成形する前に前記放射構造体（２０）がダイ（４２）の中に置かれており、その成形工程中に前記放射構造体（２０）が前記キャリヤー（１０）に設けられることを特徴とする請求項１３に記載の方法。
【請求項１５】
前記放射構造体（２０）が前記キャリヤー（１０）を成形する前に前記キャリヤー（１０）を形成する材料に設けられることを特徴とする請求項１３に記載の方法。
【請求項１６】
前記キャリヤー（１０）がポリマーシートから形成されていることを特徴とする請求項１３乃至１５のいずれか１項に記載の方法。
【請求項１７】
前記キャリヤー（１０）が真空成型により形成されていることを特徴とする請求項１３乃至１６のいずれか１項に記載の方法。
【請求項１８】
非導電性部分（６１）を有するハウジングとハウジング内に設けられたトランシーバ回路からなる携帯用無線通信装置であって、無線通信装置が更に前記非導電性の部分に置かれたことを特徴とする請求項１乃至１２のいずれか１項に記載のアンテナ装置を有することを特徴とする携帯用無線装置。
【請求項１９】
前記キャリヤー（１０）がハウジングの内側の壁の一部と取り付けられた放射構造体（２０）を有する前記キャリヤー（１０）の表面の主部分との間を最小の空間にするように配置され、形成されていることを特徴とする請求項１８に記載の携帯用無線装置。
【請求項２０】
前記アンテナ装置がハウジングの頂部に位置していることを特徴とする請求項１８又は１９に記載の携帯用無線装置。
【請求項２１】
前記キャリヤーがハウジングに取り付けられていることを特徴とする請求項１８乃至２０のいずれか１項に記載の携帯用無線装置。
【請求項２２】
前記キャリヤーが、無線通信装置のプリント回路ボードに取り付けられていることを特徴とする請求項１８乃至２１のいずれか１項に記載の携帯用無線装置。
【発明の詳細な説明】
【０００１】
【発明の属する技術分野】
本発明は、無線通信装置に配されるＲＦ波を送信及び／又は受信するためのアンテナ装置に関する。当該アンテナ装置には、第一の表面と該第一の表面上の放射構造を支持する第二の表面を有するキャリヤーと、無線通信装置のトランシーバー回路に接続可能であって連結することができ、キャリヤー上に配され、放射構造の一部を形成する給電部分と、接地面手段とからなる。また本発明は、このようなアンテナ装置を製造する方法に関する。更にこのようなアンテナ装置を含む無線通信装置に関する。
【０００２】
【従来の技術】
今日の無線通信システムでは、使用者単位の利用性や小型化に対する要求が高まっている。このことはコンパクトで良好なアンテナ性能を有するアンテナ装置の要求が高まっていることを意味している。延伸可能なホイップアンテナと組み合わせたヘリカル素子を含むアンテナ手段は、通話モードで高い効率を維持させながらコンパクトな寸法および耐久性を達成する手段として携帯移動電話用に使用されてきた。携帯移動電話のハウジングの内側に設けられたアンテナ装置も現在注目されている。この種のアンテナ装置により、アンテナ部分を突出させることが避けられ、一般により低いＳＡＲ（人体における特定の吸収比）が得られる。
【０００３】
ＷＯ９７/０６５７８号には、トランシーバー内に置くようにした可撓性を有する基板上に配されるフラクタルアンテナが開示されている。しかしその可撓性のために基板をトランシーバー内に接地することが困難である。
【０００４】
ＵＳ−Ａ−３９５６７０１号には、レシーバ内に設置された回転クリップ（swivel clip）とアンテナ装置を有するページングレシーバーが開示されており、このレシーバーは、どのような位置を取っても作動可能である。このアンテナ手段は可撓性の絶縁性ベース上に電気導電体を有している。ここでもまた、そのベースが可撓性を有するため、レシーバー内にアンテナ装置を設置することが困難であるという問題点がある。さらにアンテナ装置を可とう性の基板に乗せると安定性が確保されない。
【０００５】
【発明が解決しようとする課題】
本発明の主な目的は、丈夫で、安定性があり、取り付けが容易で、接続が容易で、利用空間を有効に利用するように配置され、良好なアンテナ性能を有するアンテナ装置を提供することである。
【０００６】
本発明の目的は、低ＳＡＲ（人体における特定の吸収比）を有するアンテナ装置を提供することである。
【０００７】
本発明の目的は、簡単な形状を有し、簡単にそして低コストで製造でき、自動製造に適したアンテナ装置を提供することである。
【０００８】
また本発明の目的は、費用効果が高く、異なる形状のアンテナ装置に簡単に適用できるアンテナ装置を製造する方法を提供することである。
【０００９】
本発明の目的は、短い開発時間で製造できるアンテナ装置を製造する方法を提供することである。
【００１０】
本発明の目的は、丈夫で、安定性を有し、取り付けが容易で、接続が容易で、利用空間を有効に利用するように配置され、良好なアンテナ性能を有するアンテナ装置を備えた携帯無線通信装置を提供することである。
【００１１】
本発明の目的は、低ＳＡＲ（人体における特定の吸収比）を有するアンテナ装置を備えた携帯無線通信装置を提供することである。
【００１２】
【課題を解決するための手段】
本発明は、第一の表面と該第一の表面上に放射構造体（２０）を支持する第二の表面を有するキャリヤー（１０）と、無線通信装置のトランシーバー回路に接続可能であり、キャリヤー（１０）上に配置され、放射構造体（２０）の一部を形成する給電部分（２５）と、接地面手段とを含む、無線通信装置に配置されるＲＦ波を送信及び／又は受信するためのアンテナ装置において、キャリヤーが、第一の表面に実質的に垂直な第一の面において、第一の表面が少なくとも第一の湾曲部分（１２）を示す断面を有し、キャリヤーが、第一の面に実質的に垂直で第一の表面に実質的に垂直な第二の面において、第一の表面が少なくとも第二の湾曲部分（１１、１３）を示す断面を有し、及び少なくとも二つの湾曲部分が交わっていることを特徴とするアンテナ装置にある。
【００１３】
また本発明は、キャリヤー（１０）の少なくとも一部が無線通信装置のハウジング内側の壁の部分と実質的に同じ形を有するダイ（４２）により形成されていることを特徴とする上記アンテナ装置を製造するための方法にもある。
【００１４】
更に本発明は、非導電性部分（６１）を有するハウジングとハウジング内に設けられたトランシーバ回路からなる携帯用無線通信装置であって、無線通信装置が更に非導電性の部分に位置する上記アンテナ装置を有することを特徴とするハンド携帯用無線装置にもある。
【００１５】
請求項２、３及び４の特徴により、より丈夫で安定し、取り付けが容易なアンテナ装置が達成される。
【００１６】
請求項１０−１１の特徴により、有効空間がより効果的に使用され、接地板手段が効果的に信号接地と連結できるアンテナ装置が達成される。
【００１７】
請求項１２の特徴により、製造が容易であり、丈夫で安定した構造を有するアンテナ装置が達成される。
【００１８】
請求項１３の特徴により、有効空間がより効果的に使用され、ＰＣＢが誘導電流から効果的に保護されるアンテナ装置が達成される。
【００１９】
請求項１６及び１７の特徴により、アンテナ性能が改良されたアンテナ装置が達成される。
【００２０】
【発明の実施の形態】
図１に無線通信装置に接続するＲＦ波を送信及び／又は受信するためのアンテナ装置に含まれるキャリヤー１０上の放射構造体２０の概略を示す。キャリヤー１０は比較的薄く、１ミリの数１０分の１〜数ミリ、好ましくは０．２〜１ミリの厚さを有している。キャリヤー１０は好ましくは絶縁性ポリマーのシート状材料から作られ、適当な片にカットされた帯状材料からなる。図に示すように、キャリヤーは、実質的に平面あるいは非常になだらかに湾曲部分１５を限定する上方に湾曲した部分１１−１３を有するように形成されている。キャリヤー１０の湾曲部分１１−１３の回りには低い壁部分１６が延びている。図１には、実質的に平面あるいは非常になだらかに湾曲部分１５が開放した状態にあるように３つの湾曲部分１１−１３が示されている。
【００２１】
キャリヤーを形成しているシート状材料は、取り扱いやすく、比較的可撓性を有する材料であることが好ましい。しかしながら、湾曲部分を配置することによってキャリヤーは高い強度と安定性が得られ、それは無線通信装置に容易に取り付ける部品として適したものとなる。
【００２２】
１つ壁が欠落している３つの壁部１６を有するトラフ形状のキャリヤー１０には、そのキャリヤー１０の第一の表面上、この場合、壁部分１６により囲まれた表面上に少なくとも実質的に平面の部分、あるいは非常になだらかに湾曲部分１５を覆う放射構造体２０が設けられている。支持体として例えば、粘着、融解あるいはこれらに類似する物によって取り付けられた放射構造体２０は、二つのメアンダパターン２１、２２と給電部分２５とからなる。しかし、これらメアンダパターンあるいはその中の一つは導電ループ、双極子、パッチ素子等により置き換えることができる。
【００２３】
給電部分は適当な接続手段により無線通信装置のトランシーバ回路に接続される。給電部分をトランシーバ回路を載せるＰＣＢ（プリント回路ボード）に接続するためのこのような手段としては、導電性バネあるいはクリップ、導電性パッドあるいはポーゴーピン（バネ上げピン）等がある。
【００２４】
取り付けのために、各壁部分１６の頂部にはリム１７を設けることが好ましい。リムは、壁部分１６の頂部に約９０°外側に曲げた部分として形成されている。リム１７は、キャリヤーの支持体あるいはＰＣＢ（プリント回路ボード）との接触表面として機能する。リム１７は、目的物、例えば、スナップ作用あるいはグリップによる固定用として用いても良い。さらにリム１７はキャリヤーの安定性や強度を向上させる。
【００２５】
図２は、アンテナ装置に含まれる放射構造２０とキャリヤー１０の第２の態様を示す。この態様は、前の態様と同じにすることもできるが、放射パターンが異なり、及び隆起部１８が部分１５から突出して配置されている点で前の態様とは異なる。給電部分２５からリム１７に接触するあるいは隣接するＰＣＢまでの距離を短くして給電部分が連結されるようにするために、給電部分２５は隆起部１８の上に配置されている。隆起部１８は、接触表面あるいは部品上へ圧力を持続的に働かせるように弾力性を有するように形成されていることが好ましい。それにより給電部分とＰＣＢの接触部分間、及び／又は可能な中間接触手段の間に接点圧力を生じさせることができる。これは、隆起部１８の部分をリム１７の面上に突出させることにより得ることができる。
【００２６】
図３は、本発明の放射構造体２０とキャリヤー１０の第３の態様を示す。この態様では、符号１５で表す部分は、４つの上方に湾曲した部分１１−１４と４つの壁部分１６により囲まれている。壁部分１６には前述の態様のようにリムを設けることができるが、ここではリムは示されてない。放射構造体２０は、図には放射ループで示されているが、前述の態様と同じ形状であってもよい。
【００２７】
図４に示す第４の態様は、隆起部１８が、符号１５で示す部分から突出するように設けられ、給電部分が、第２の態様に示すものと類似してこの隆起部上に設けられている点で第３の態様とは異なっている。放射構造体２０は、図ではメアンダパターンで示されているが、前述の態様と同じ形状にすることができる。
【００２８】
図５−９は、各々図１、２、および３のＶ−Ｖ、VI-VI、VII−VII、VIII−VIII、及びIX−IXに沿った断面図である。
【００２９】
図１０は、第３の態様と類似する第５の態様を示す。しかしこの態様では、放射構造体２０は、キャリヤーの表面上にあり、符号１５で示す部分１５は壁部分１６に囲まれてない、即ち、トラフ形状のキャリヤーの外面上（底部）にあり、ここが第一の表面になる。放射構造体２０は、図では曲げた双極子で示しているが、前述の態様と同じ形状にしてもよい。給電部分は、無線通信装置のトランシーバ回路を載せるＰＣＢに面する側で接続されるようにキャリヤーのホール３０を通して導くことができる。
【００３０】
図１１に示す第６の態様においては、キャリヤーは窪み１９を除いて第５の態様と同様の形状を有している。窪み１９は、前述したトラフ型構造の内側で、他方の側上に突出した隆起に対応している。放射構造体２０は給電部分２５を有する二つのメアンダパターンからなる。給電部分２５は、整合手段３１に接続しており、この整合手段は、穴３０を通して導かれる接続部３２によってトランシーバ回路に接続している。この整合手段は、接続回路に対して放射構造体の所定のインピーダンス、好ましくは５０オームを与えるために使用される。放射構造体２０は、いずれにしても上述したようないずれの種類の物でも良い。またここでは、給電部分２５は、他の側上に接続されるようにキャリヤー１０にある穴３０を通して導かれていても良い。
【００３１】
図１０及び１１にも、壁部分１６が示されているが、リム１７は設けられていない。しかし壁部分１６は、前述の態様のようにそのようなリムを設けてもよい。
【００３２】
図１２は、図１１のXII−XII線に沿った断面図を示す。前述の態様では、放射構造体２０は、キャリヤーの第一の表面上に設けられていた。しかし、放射構造体２０がキャリヤー１０の両面に配置されていると有利である。それによって異なった周波数帯で作動するように異なった構造体を配置することができる。一つの放射構造体２０でも別の周波数帯で作動するように配置することができる。
【００３３】
全ての前述の態様に共通して、接地面手段はそれぞれの放射構造体と実質的に並行に配置されていることが好ましい。接地面手段は、無線通信装置の通信用アースに連結された、誘電性のキャリヤーあるいは伝導性コーティングが施された支持体、層あるいはパターンからなる。接地面手段の接続は伝導性でも容量性でもよい。好ましくは、壁部分のリムあるいはリムのないエッジ、あるいはその部分は、無線通信装置のトランシーバ回路用のＰＣＢ上に設けられた接地面手段に接続していることが好ましい。この配置によって回路は効果的に遮蔽され、放射構造体によって回路内に誘導された電流は遮られるか減少する。またこの配置によって接地面手段及び放射構造体２０が完全に離隔される。このように離隔することによって無線通信装置のハウジングに面する放射構造２０体と共にキャリヤー１０の側面は、ハウジングの対応部分と一致し、及び対応部分に近いかあるいは接触して置かれ、そして接地面手段は無線通信装置のトランシーバ回路用のＰＣＢ上に配置される場合に最適化される。放射構造体２０及び接地面手段との間の最適化された体積はアンテナ手段の性能を最適化するのでこのことは非常に有利である。効率によって増幅される相対バンド幅は、波長の二乗で表される体積により制限される、あるいは（Δｆ/ｆ）×ｎ＝ｋ×λ2、ここでｋは、定数である、で表されることは当業者においては周知である。
【００３４】
図１３は、キャリヤーを形成するための方法の概略図である。ポリマーシート４０あるいはバンド４１がまず例えば、輻射ヒータにより加熱され、次いで真空成形ダイの中に置かれる。その後、空気が排気孔４３（全部を示してない）あるいはダイに設けられたチャネルを通してダイから排出される。真空によってそのように作られ、加熱されたポリマーシートはダイの壁と接触するようになり、冷却後、ダイの形状に対応した形状になる。追加手段として、ダイとチャンバーとの間に気密状態で接触させるための手段と共に気密チャンバーをダイの頂部に置いても良い。チャンバー内で発生した空気圧は、ダイの壁に対してシートを押圧するようにシート上に作用する。そしてそれによって真空によって生じた力に加えシート上にさらに別の力が加わることになる。多くのダイを互いにそばに配置することができるように使用するシートは大きく、バンドの場合は幅が広いことが好ましい。それによって多くのキャリヤーを同時に成形することができる。そのような真空成形あるいは真空熱成形されたキャリヤーは次いでシートから、例えば、打ち抜きにより切り取られる。壁部分１６の頂部に約９０°に曲げた部分は真空成形工程で形成されるので、キャリヤー１０にリムを設けるか設けないかを打ち抜き機械を選択することにより決めることができる。
【００３５】
放射構造体２０は、真空成形時にキャリヤーに取り付けられるのが好ましい。放射構造体２０は、成形前にダイの中に置くことができ、及び成形中、接着剤によってあるいは溶融によってシートに接着することができる。あるいは放射構造体２０は、例えば、成形前に接着剤によりシートに接着してもよい。
【００３６】
図１３のダイ４２はダイの雌型である。しかしダイを正のダイ（雄型ダイ）にすることができる。
【００３７】
有効空間の最適使用のために設けられる無線通信装置のハウジングの部分と一致する放射構造体２０を有するキャリヤー１０を得るために、ダイ４２は実質的にハウジングの部分と同じ形状を有している。
【００３８】
真空成形あるいは真空熱成形によりキャリヤーを成形する際、キャリヤーと接地面手段用支持体とを同じ工程で形成することが有利である。図１４は、そのように同じシートから一体部品として形成されたキャリヤー１０と接地面手段用支持体５０を示す。キャリヤー１０と接地面手段用支持体５０とが連結する部分には、例えば、曲げ線、あるいはミシン目により曲げ用開始手段５１を備えている。
【００３９】
図１４に示す接地面手段支持体５０の表面には、無線通信装置の通信用アースに接続可能な導電層あるいは導電パターンが設けられている。導電層やパターンは放射構造体と同様な方法で設けることができる。接地面手段用支持体５０は曲げ用開始手段にそって曲げることによりキャリヤー１０上に位置することができる。接地面手段用支持体５０は、その支持体がその縁部に沿ってリム１７の上にかかるまでキャリヤーに対して約１８０°折り曲げることができる。その縁部は、安定し、丈夫なユニットを形成するために、接着剤、融解あるいは他の適当な手段によってリム１７に固定することができる。空間の有効利用を改善するために接地面手段用支持体５０は、無線通信装置において接触下にあるＰＣＢと一致するように成形することができる。これは、真空形成工程で作られる。放射構造体とＰＣＢ間の距離を短くしたこの種の装置においては、それら間のカップリング効果のために、接地面手段を持つことが必要である。ＰＣＢに亘って金属被覆プラスチックカバーのような従来の接地面手段は不必要な空間を占める。それゆえ接地面手段の支持体がその下に位置するＰＣＢに一致している場合有利となる。その結果、ＰＣＢから突出している部品でさえ接地面手段、例えば、ポリマーシートの真空熱成形の間、の支持体上に形成されている対応する窪みに収容することができる。
【００４０】
キャリヤー１０は、三つの壁部分を有することが示されており、キャリヤー１０の表面上の放射構造２０を有することは示されていない。しかしキャリヤー１０及び放射構造２０は、前述の態様のいずれにもあるように形成され、置くことができる。
【００４１】
真空成形によって形成されるキャリヤーに適したプラスチック材料は、例えば、ＰＶＣ、ＰＥＴ、ＰＰ、ＰＥ、ＰＳ、ＰＣあるいはＰＣ/ポリエステル等である。
【００４２】
図１５は、携帯用電話機の断面を略式に示す。ハウジングの背中の部分６１にはバッテリー６３が取り付けられている。符号６５で示すのは、ＰＣＢである。アンテナ手段６６は、取り付けられているハウジング部分と形状た実質的に一致したキャリヤー１０を有する。このキャリヤーは、取り付けた放射構造を有するハウジングの内側の壁部分とキャリヤーの表面の主要部分との間を最小限の空間にするように配置され、形成されていることが好ましい。
【００４３】
接地面手段用支持体５０はＰＣＢと接触するように置かれ、ＰＣＢから突出した部品を受けるように形成されている。アンテナ手段６６は、接着剤、クランプ、スナップ作用によってあるいはハウジング６１の背中部分あるいはＰＣＢ６５と同様に固定することができる。
【００４４】
湾曲部分によって及び追加の曲げた部分によって、キャリヤーは、丈夫になり、良好な安定性を示す。これは、放射構造体２０と他の隣接する部分と同様に接地面手段との間の距離が完全に区分され、変化せず、及び離調を生じないような形の安定性が重要であると言う理由で有利である。
【００４５】
本発明は上記の例によって説明しているけれども、勿論、本発明の範囲内で多くの変更が可能である。キャリヤーは、例えば、ハウジングの部分を形成することができる。更に給電部分はトランシーバ回路と伝導的にあるいは容量的に連結することができる。
【図面の簡単な説明】
【図１】  本発明の第１の態様における放射構造体及びキャリヤーの概略図を示す。
【図２】  本発明の第２の態様における放射構造体及びキャリヤーの概略図を示す。
【図３】  本発明の第３の態様における放射構造体及びキャリヤーの概略図を示す。
【図４】  本発明の第４の態様における放射構造体及びキャリヤーの概略図を示す。
【図５】  図１のＶ−Ｖに沿った断面図を示す。
【図６】  図１のVI−VIに沿った断面図を示す。
【図７】  図２のVII−VIIに沿った断面図を示す。
【図８】  図３のVIII−VIIIに沿った断面図を示す。
【図９】  図３のIX−IXに沿った断面図を示す。
【図１０】  本発明の第５の態様における放射構造体及びキャリヤーの概略図を示す。
【図１１】  本発明の第６の態様における放射構造体及びキャリヤーの概略図を示す。
【図１２】  図１１のXII−XIIに沿った断面図を示す。
【図１３】  本発明の製造にける本発明のキャリヤーを形成するための装置の概略図を示す。
【図１４】  本発明の接地面手段用支持体とキャリヤーの概略図を示す。
【図１５】  本発明のアンテナ装置を有する移動（携帯）電話の略式断面図を示す。
【図１】
0004109420.tif 000002
【図２】
0004109420.tif 000003
【図３】
0004109420.tif 000004
【図４】
0004109420.tif 000005
【図５】
0004109420.tif 000006
【図６】
0004109420.tif 000007
【図７】
0004109420.tif 000008
【図８】
0004109420.tif 000009
【図９】
0004109420.tif 000010
【図１０】
0004109420.tif 000011
【図１１】
0004109420.tif 000012
【図１２】
0004109420.tif 000013
【図１３】
0004109420.tif 000014
【図１４】
0004109420.tif 000015
【図１５】
0004109420.tif 000016